(57)【要約】【課題】異種サイズの２種類のカードを１つの開口（スロット）から同一方向に挿入できるようにする。デュアル型カードコネクタの部品点数の削減と小形化薄形化を図る。【解決手段】カード挿入空間Ｓは、横幅又は厚さの異なる２種のカードＣ１，Ｃ２を択一挿入可能である。カードＣ１，Ｃ２をカード挿入空間Ｓで厚さ方向に位置決めする厚さ方向位置決め手段と、横幅方向に位置決めする横幅方向位置決め手段とを備える。厚さ方向位置決め手段は、カードＣ１，Ｃ２を厚さ方向に押圧する第１弾性体と第１カード受部とでなり、横幅方向位置決め手段は、カードを横幅方向両側から弾性で押圧して挟み付ける第２弾性体でなる。第１及び第２の弾性体が、片側及び他側の板ばねユニット５０，５０に一体に備わっている。【選択図】　　　　図２
2004063197.tif 000002
【特許請求の範囲】
【請求項１】
ボディのカード挿入空間に挿入されてきたカードに押し込まれて後退する可動体が、上記カードと押し合うように前進方向に常時弾発付勢されてそのボディに取り付けられ、その可動体が所定の押込位置で位置固定されることによってカードのセット位置が規制されるようになっているカードコネクタにおいて、
上記カード挿入空間は、横幅又は厚さのうちの少なくとも１つの要素が異なる複数種類のカードを択一挿入可能であり、
複数種類の上記カードから選ばれた任意の１枚のカードを上記カード挿入空間で厚さ方向の適正位置に位置決めする厚さ方向位置決め手段と、複数種類の上記カードから選ばれた任意の１枚のカードを上記カード挿入空間で横幅方向の適正位置に位置決めする横幅方向位置決め手段とを備えていると共に、上記可動体に接触片が設けられて、その接触片が、上記各位置決め手段によって適正位置に位置決めされた上記カードの電極に接触するようになっており、
上記厚さ方向位置決め手段が、カードを厚さ方向に弾性で押圧する第１弾性体とその第１弾性体によって押圧されたカードを受け止める第１カード受部とでなり、上記横幅方向位置決め手段が、カードを横幅方向両側から弾性で押圧して挟み付ける第２弾性体でなり、
上記第１弾性体と上記第２弾性体とが板ばね材で一体に形成されていることを特徴とするカードコネクタ。
【請求項２】
上記第１弾性体が、カード表面の横幅方向の片側縁部と他側縁部とを各別に押圧する片側及び他側の一対の第１板ばね片に分割されていると共に、上記第２弾性体が、カードの横幅方向の片側端面と他側端面とを各別に押圧する片側及び他側の一対の第２板ばね片に分割されていて、第１及び第２の各片側の板ばね片同士が一体に形成されて片側板ばねユニットを形成し、かつ、第１及び第２の各他側の板ばね片同士が一体に形成されて他側板ばねユニットを形成している請求項１に記載したカードコネクタ。
【請求項３】
上記片側板ばねユニット及び上記他側板ばねユニットのそれぞれは、第１板ばね片と第２板ばね片とが直角に屈曲された曲り部を備える連結片部に連設されていると共に、片側板ばねユニットの形状と他側板ばねユニットの形状とが対称である請求項２に記載したカードコネクタ。
【請求項４】
片側及び他側の各板ばねユニットが、上記カード挿入空間の横幅方向両側に振り分けて対称位置に配備されている請求項３に記載したカードコネクタ。
【請求項５】
上記ボディのカード挿入空間がこのボディの上面で開放し、そのカード挿入空間の開放した上面が、ボディに装着された板金製のカバーによって塞がれており、上記第１カード受部が、このカバーの内表面によって形成されている請求項１ないし請求項４のいずれかに記載したカードコネクタ。
【発明の詳細な説明】
【０００１】
【発明の属する技術分野】
本発明は、カードコネクタ、特に、異種サイズの２種又はそれより多い多種のカードを同一の挿入口（スロット）から挿入することができるようになっているカードコネクタに関する。
【０００２】
【従来の技術】
ボディのカード挿入空間にカードを挿入すると、前進方向に常時弾発付勢されている可動体がそのカードと押し合いながら押し込まれて後退し、その可動体が所定の押込位置で位置固定（ロック）され、それによってカードのセット位置が適正に規制されるようになっているカードコネクタが従来より知られている。
【０００３】
一方、近時では、異種サイズの２種類のカードを同一の電気電子機器に使用することの要求があり、その要求に対処することのために従来より講じられていた対策は、それぞれのカードが個別に使用対象となっている２つのカードコネクタを電気電子機器に実装するという対策であった。また、１つのカードコネクタを電気電子機器に実装しておき、そのカードコネクタにアダプタを装着することによってもう１つのカードを使用できるようにするという対策も行われていた（従来例）。
【０００４】
【発明が解決しようとする課題】
しかしながら、従来例のうち、２つのカードコネクタを実装するものでは、カードコネクタのための広い実装スペースが必要になって電気電子機器の小形化薄形化といったコンパクト化が阻害されるという問題があり、また、アダプタを用いるものでは、使用するカードに応じてアダプタをカードコネクタに着脱する手間が必要であり、また、アダプタが余分に必要になってそれだけコスト高になるという問題があった。
【０００５】
一方、従来例に対し、カード挿入空間を、横幅や厚さが異なる異種サイズの複数種類のカードを択一的に挿入することのできる大きさに定め、そのようなカード挿入空間に、異種サイズのカードのうちの任意の１枚のカードを挿入するという方法を採用すると、１つの挿入口を有するカードコネクタを異種サイズのカードに共用できるようになることが判っている。以下の説明では、このような異種サイズの複数種類のカードに共用されるカードコネクタを「共用型カードコネクタ」という場合がある。
【０００６】
ところが、共用型カードコネクタでは、カード側の電極とカードコネクタ側の電極との位置関係が、複数種類のカードのうちのどのカードについても一定に定まるようにして電気的接続安定性を確保する必要が生じ、そのためには、複数種類のカードのうちのどのカードも、カード側の電極がカードコネクタ側の電極に確実に接触する位置に位置規制されるようになっていることが不可欠である。
【０００７】
この要求に対処するには、カード挿入空間に挿入されたカードが、厚さ方向と横幅方向との両方向で位置決めされるようにする必要がある。その対策として、カードの厚さ方向及び横幅方向での適正位置を規定し、カード挿入空間内のカードを、ばね力により厚さ方向及び横幅方向に押圧して基準となる部位に押し当てることのできる構成を採用することが有効であり、そのためには、カード挿入空間を形成しているボディに、カードを厚さ方向に押圧するためのばね材と、カードを横幅方向に押圧するための別のばね材とを取り付け、それらのばね材によってカードを厚さ方向及び横幅方向に押圧してそれぞれの方向の基準となる部位に押し付けるようにすればよい。
【０００８】
しかしながら、カードを厚さ方向に押圧するためのばね材と、カードを横幅方向に押圧するための別のばね材との２種類のばね材を用いると、それだけ部品点数が増えるため、コスト高になるだけばかりか、それらのばね材の組付けスペースをばね材ごとに確保することの必要から、この種のカードコネクタに要求されている小形化が阻害される。
【０００９】
本発明は上記した従来例についての問題点や、共用型カードコネクタについての上述の状況に鑑みてなされたものである。
【００１０】
すなわち、本発明は、異種サイズの複数種類のカードに共用できるものでありながら、カードをカード挿入空間内で厚さ方向及び横幅方向の適正位置に確実に位置決めするために必要となる部品構成を単純化して部品点数を抑え、それによってコスト高になることを可及的に抑制し、併せて、小形化薄形化が阻害されにくくなるカードコネクタを提供することを目的とする。
【００１１】
【課題を解決するための手段】
本発明に係るカードコネクタは、ボディのカード挿入空間に挿入されてきたカードに押し込まれて後退する可動体が、上記カードと押し合うように前進方向に常時弾発付勢されてそのボディに取り付けられ、その可動体が所定の押込位置で位置固定されることによってカードのセット位置が規制されるようになっている。
【００１２】
本発明において、上記カード挿入空間は、横幅又は厚さのうちの少なくとも１つの要素が異なる複数種類のカードを択一挿入可能である。また、複数種類の上記カードから選ばれた任意の１枚のカードを上記カード挿入空間で厚さ方向の適正位置に位置決めする厚さ方向位置決め手段と、複数種類の上記カードから選ばれた任意の１枚のカードを上記カード挿入空間で横幅方向の適正位置に位置決めする横幅方向位置決め手段とを備えていると共に、上記可動体に接触片が設けられて、その接触片が、上記各位置決め手段によって適正位置に位置決めされた上記カードの電極に接触するようになっている。
【００１３】
この構成によると、カード挿入空間に挿入したカードで可動体を押し込んで後退させることによって可動体を所定の押込位置で位置固定させたときには、カードの厚さや横幅に関係なく、カードの電極が可動体に設けられている接触片と確実に接触して電気的接続安定性が確保される。加えて、接触片が、カードにより押し込まれて後退する可動体に設けられていることにより、長さの異なるカードであっても、そのカードの電極と接触片との電気的接続安定性を容易に確保することが可能である。
【００１４】
本発明では、上記厚さ方向位置決め手段が、カードを厚さ方向に弾性で押圧する第１弾性体とその第１弾性体によって押圧されたカードを受け止める第１カード受部とでなり、上記横幅方向位置決め手段が、カードを横幅方向両側から弾性で押圧して挟み付ける第２弾性体でなり、上記第１弾性体と上記第２弾性体とが板ばね材で一体に形成されている。
【００１５】
この構成であると、厚さ方向位置決め手段を形成している第１弾性体と横幅方向位置決め手段を形成している第２弾性体とが、板ばね材という単一部品によって形成されるために部品構成が単純化されて部品点数が少なくて済む。そのため、既述したところの、カードを厚さ方向に押圧するためのばね材と、カードを横幅方向に押圧するための別のばね材との２種類のばね材を用いる場合に比べてコストダウンを図りやすくなり、併せて、カードコネクタ（共用型カードコネクタ）の小形化薄形化が阻害されにくくなる。
【００１６】
本発明では、上記第１弾性体が、カード表面の横幅方向の片側縁部と他側縁部とを各別に押圧する片側及び他側の一対の第１板ばね片に分割されていると共に、上記第２弾性体が、カードの横幅方向の片側端面と他側端面とを各別に押圧する片側及び他側の一対の第２板ばね片に分割されていて、第１及び第２の各片側の板ばね片同士が一体に形成されて片側板ばねユニットを形成し、かつ、第１及び第２の各他側の板ばね片同士が一体に形成されて他側板ばねユニットを形成していることが望ましい。
【００１７】
この発明によれば、厚さ方向の弾圧力を、カード表面の横幅方向での片側縁部と他側縁部とに均等に加えやすくなる。また、横幅方向の弾圧力を、カードの横幅方向での片側端面と他側端面とに均等に加えやすくなる。そのため、カードに横に並んだ複数の電極が備わっている場合に、それらの電極のそれぞれと可動体に設けられている接触片との接触圧（接点圧）が一様になりやすくなる。
【００１８】
本発明では、上記片側板ばねユニット及び上記他側板ばねユニットのそれぞれは、第１板ばね片と第２板ばね片とが直角に屈曲された曲り部を備える連結片部に連設されていると共に、片側板ばねユニットの形状と他側板ばねユニットの形状とが対称であることが望ましく、これによれば、片側板ばねユニットを他側板ばねユニットとを製作しやすくなってそれだけコストダウンを図りやすくなる。しかも、片側板ばねユニットの形状と他側板ばねユニットの形状とが対称であると、上記した接点圧を一様に保ちやすくなるという利点もある。
【００１９】
本発明では、片側及び他側の各板ばねユニットが、上記カード挿入空間の横幅方向両側に振り分けて対称位置に配備されていることが望ましい。これによっても、上記した接点圧を一様に保ちやすくなる。
【００２０】
本発明では、上記ボディのカード挿入空間がこのボディの上面で開放し、そのカード挿入空間の開放した上面が、ボディに装着された板金製のカバーによって塞がれており、上記第１カード受部が、このカバーの内表面によって形成されている、という構成を採用することができる。これによれば、カードの厚さ方向位置決め手段としての役割を果たす板金製のカバーに、カードに帯電した静電気を逃がす作用や、ノイズ発生の原因を遮蔽する電磁シールド部材としての作用をも担わせることが可能になり、それらの各作用を果たす部材を別々に用いる場合に比べて部品点数が少なくて済み、そのことがコストダウンを図りやすくすることに役立つ。
【００２１】
【発明の実施の形態】
この実施形態は、異種サイズの２種類のカードに共用されるカードコネクタについてのものであり、以下の説明ではこれをデュアル型カードコネクタということにする。
【００２２】
図１は本発明の実施形態に係るデュアル型カードコネクタの外観斜視図、図２はカバー１を取り外した使用状態でのデュアル型カードコネクタの平面図、図３（Ａ）は図２のＩＩＩＡ部の拡大図、同（Ｂ）は同（Ａ）のＩＩＩＢ−ＩＩＩＢ線に沿う部分に相応する断面図、図４は板ばねユニット５０の斜視図、図５は可動体２０や接触片などを示した概略断面図、図６はカムユニット３０の平面図、図７はカバー１を取り外した他の使用状態でのデュアル型カードコネクタの平面図である。
【００２３】
図１のように、このデュアル型カードコネクタは、前後方向に長い平面視略矩形の合成樹脂一体成形体でなるボディ１０の前端部にスロットとなる左右に長いスリット状の挿入口１２があり、その後端に後壁部１３がある。ボディ１０は、ボディ１０の上面で開放しているカード挿入空間Ｓ（図３（Ｂ）参照）を形成していて、そのカード挿入空間Ｓの開放した上面が、ボディ１０に装着した板金製の導電性を有するカバー１によって塞がれている。また、図１、図２又は図７のように、ボディ１０の底面１４（図３（Ｂ）参照）と摺動して前後方向Ｄに移動可能なスライダとしてのアーム状の可動体２０が、カード挿入空間Ｓを横切る姿勢で配備されている。
【００２４】
図２のように、可動体２０の横幅方向の一端部にカムユニット３０が合成樹脂で一体成形されていて、このカムユニット３０とボディ１０の後壁部１３の一端部に連設された壁部１５との間にコイルばねでなるばね体１６が介在され、このばね体１６の弾発付勢力によって、カムユニット３０及び可動体２０が前進方向に常時弾発付勢されている。したがって、開口１２からカード挿入空間ＳにカードＣが挿入されてくると、そのカードＣの先端が可動体２０に突き当たってその可動体２０と押し合いながらその可動体２０を後退させる。また、図１のように、可動体２０には多極を形成する所要数の接触片２１…が横並び状態で保持されていて、これらの接触片２１…が、カード挿入空間Ｓに挿入されてその先端が可動体２０に突き当たったカードＣ（図２参照）の表面に形成されている複数の電極（不図示）に各別に接触するようになっている。さらに、図１又は図５に示したように、それぞれの接触片２１…には、可動体２０の後方へ突出された半田付け端子２２…が各別に連設されていて、それらの半田付け端子２２…が、上記後壁部１３の下側に形成された開口（不図示）に前後方向移動自在に挿通された帯状のフレキシブル配線基板（以下「ＦＰＣ」という）２３の半田付け領域２４に半田付けされている。上記後壁部１３に形成された開口は、ボディ１０が配線基板（不図示）に搭載されたときに、その配線基板と後壁部１３との共働によってスリット状に形作られる。
【００２５】
図６のように、カムユニット３０は、前後方向に２つ並べて配備された第１及び第２の無端ループ形状のガイド溝を有するカムパターン３１，３２を有し、第１カムパターン３１が第２カムパターン３２の後方（カード挿入方向前方）に配備されている。
【００２６】
第１カムパターン３１のガイド溝３３は前後方向に細長いハート形に形成されていて、往路終点と復路始点との一致点に凹み箇所を有し、その凹み箇所が段付状の立上り面で形成されたピン係止部３５とされている。また、往路始点に復路終点が合流している。この第１カムパターン３１のガイド溝３３は、後述するガイドピン４０の逆向き移動を阻止する機能を有し、かつ、上記ピン係止部３５がガイドピン４０を係止する作用を発揮する。第２カムパターン３２のガイド溝３４も第１カムパターン３１のガイド溝３３と同様に前後方向に細長いハート形に形成されていて、往路終点と復路始点との一致点に凹み箇所を有し、その凹み箇所１が段付状の立上り面で形成されたピン係止部３６とされている。また、ガイド溝３４の往路始点と復路終点とは、第１カムパターン３１のガイド溝３３の往路始点と復路終点とに一致している。この第２カムパターン３２のガイド溝３４も、後述するガイドピン４０の逆向き移動を阻止する機能を有し、かつ、上記ピン係止部３５がガイドピン４０を係止する作用を発揮する。なお、カムユニット３０の構成自体は本発明の範囲外であるため、その詳細説明は省略する。
【００２７】
上記カムユニット３０の相手方部材としてのガイドピン４０は、図２で類推できるように、その基部にボディ１０の前端部１７に左右方向回動自在に支持された支軸部４１を有し、その先端４２が屈曲されてカムユニット３０のカム溝３３，３４に相対摺動可能に係合されている（図２、図６又は図７参照）。
【００２８】
ボディ１０のカード挿入空間Ｓの横幅方向両側の対称位置に、左右一対の板ばねユニット５０，５０が各別に配備されている。図４のように、カード挿入空間Ｓの片側に配備されている片側板ばねユニット５０は、直角に屈曲された曲り部５１を備える連結片部５２を備えていて、この連結片部５２の水平部分に先上がりに傾斜した第１板ばね片５３が連設されていると共に、その立上り部分にはその両側に張り出して内向きに傾斜した第２板ばね片５４が連設されていて、第１板ばね片５３の先端部５５や第２板ばね片５４の自由端部５６，５６はそれぞれ湾曲状に形成されている。カード挿入空間Ｓの他側に配備されている他側板ばねユニット５０は、図４で説明した片側板ばねユニット５０と対称の形状を有していて、その構造自体は片側板ばねユニット５０と同様である。したがって、説明を簡略にするため、図２では、片側及び他側の各板ばねユニット５０，５０の構成要素に同一符号を付して詳細な構造説明を省略する。
【００２９】
図２又は図３（Ａ）によって類推できるように、片側板ばねユニット５０は、ボディ１０の底面１４の片側箇所に立ち上げられた取付片１８の溝部１９に、その連結片部５２を差し込むことによってボディ１０側に取り付けられていて、その取付状態では、図３（Ａ）（Ｂ）のように、第１板ばね片５３の自由端部５５に、カード挿入空間Ｓに挿入されてきたカードＣの横幅方向の片側縁部Ｃ１が乗り上がるようになっていると共に、カードＣの横幅方向の片側端面Ｃ２が第２板ばね片５４の前後２箇所の各自由端部５６，５６に乗り上がるようになっている。これに対し、図２に示してある他側板ばねユニット５０は、ボディ１０の底面１４の他側箇所に設けられた取付片１８の溝部１９に、その連結片部５２を差し込むことによってボディ１０側に取り付けられていて、その取付状態では、第１板ばね片５３の自由端部５５に、上記カードＣの横幅方向の表面他側縁部が乗り上がるようになっていると共に、カードＣの横幅方向の他側端面Ｃ３が第２板ばね片５４の前後２箇所の自由端部５６，５６に乗り上がるようになっている。そのため、片側及び他側の各板ばねユニット５０，５０のそれぞれの第１ばね片５３，５３が、カード挿入空間Ｓに挿入されたカードＣの横幅方向の片側及び他側の各縁部を均等な力で押し上げてそのカードＣを図１又は図（Ｂ）に示したカバー１の内表面に押し付ける。また、片側及び他側の各板ばねユニット５０，５０のそれぞれの第２ばね片５４，５４がカードＣを横幅方向で弾性的に均等に挾圧することによって、カードＣの中心線Ｐ１を、カード挿入空間Ｓの中心線Ｐに対して位置合わせする機能を発揮する。このため、片側及び他側の各板ばねユニット５０，５０の作用により、カードＣがカード挿入空間Ｓで厚さ方向及び横幅方向の適正位置（基準位置）に位置決めされる。しかも、各板ばねユニット５０，５０のそれぞれの第１板ばね片５３，５３や第２板ばね片５４，５４による弾圧作用がカードＣに左右均等に加えられた状態になっているので、可動体２０側の接触片２１とカードＣ側の複数の電極との接点圧も各電極について一様になり、そのことが接触片と電極との電気的接続安定性を高めることに役立っている。その上、片側及び他側の板ばねユニット５０，５０によって適正位置に位置決めされたカードＣが、板金製のカバー１の内表面に弾圧されることになるため、そのカバー１がカードＣの厚さ方向位置決め手段の第１カード受部としての役割を果たすだけでなく、カードＣに帯電した静電気を逃がす作用や、ノイズ発生の原因を遮蔽する電磁シールド部材としての作用をも担わせることが可能になり、それらの各作用を果たす部材を別々に用いる場合に比べて部品点数が少なくて済み、そのことがコストダウンを図りやすくすることに役立つ。
【００３０】
この実施形態のカードコネクタはデュアル型カードコネクタであり、長さＬ１が短くて幅Ｗ１が狭い小型カード（図２参照）及びこの小型カードよりも長さＬ２が長くて幅Ｗ２が広い大型カード（図７参照）とのサイズの異なる２種類のメモリカードを使用対象としている。そのため、ボディ１０の開口１２やカード挿入空間Ｓは、大型カードのサイズに合わせて形成されている。ここで、図２に示したカードＣを小型カードとし、図７に示したカードを大型カードＣ２とすると、具体的には、開口１２やカード挿入空間Ｓの幅が大型カードＣ２を挿入することのできる寸法に定められている。したがって、カード挿入空間Ｓには、２種のカードＣ１，Ｃ２を同一方向に択一挿入可能である。また、大型カードＣ２のセット位置は小型カードＣ１のセット位置よりも後位に定められている。さらに、小型カードＣ１及び大型カードＣ２のいずれのカードＣも、図６などに示したカムユニット３０と図２又は図７に示したピン部材４０との共働によるロック作用及びロック解除作用を通じ、所謂プッシュ・プッシュ操作によってセット位置への挿入とセット位置からの排出とが行われるようになっている。なお、各セット位置についてはさらに後述する。
【００３１】
次に図２又は図６を参照して、小型カードＣ１を挿入あるいは排出する場合の動作を説明する。
【００３２】
この実施形態において、カード未挿入モードでは、カムユニット３０がばね体１６の付勢によって前進していて、ボディ１０の前端部１７に当たった初期位置に位置している（不図示）。
【００３３】
この状態から、第１回目のプッシュ操作で手の指で小型カードＣ１を開口１２を経てカード挿入空間Ｓに挿入すると、小型カードＣ１の先端が、可動体２０に突き当たった後、可動体２０を押し込んで後退させる。これにより、小型カードＣ１の電極に接触片２１が接触する。また、可動体２０が押し込まれるときには、可動体２０が小型カードＣ１と押し合いながらばね体１６の付勢に抗してカムユニット３０と共に後退する。そして、小型カードＣ１を押し込んでいる手の指がボディ１０の前端面に当たる程度にまで小型カードＣ１が押し込まれたときには、ガイドピン４０の先端４２が、第１カムパターン３１のガイド溝３３の往路を移動してピン係止部３５に臨み、その状態から手の指を離して押込力を解放すると、ばね体１６の付勢によってカムユニット３０と共に可動体２０が前進するので、小型カードＣ１が可動体２０により押し返され、併せて、ガイドピン４０の先端４２が図２のようにピン係止部３５に係合する。これにより、小型カードＣ１がセット位置でロック状況下におかれ、小型カードＣ１の後端は図２のようにボディ１０の開口１２から少しだけ突出した状態になる。小型カードＣ１の電極と接触片２１との信号授受は、小型カードＣ１がそのセット位置に位置している状態で行われる。
【００３４】
図２のように小型カードＣ１がセット位置に位置している状態から手の指で小型カードＣ１を押し込むという第２回目のプッシュ操作を行うと、小型カードＣ１が可動体２０を少し押し込んで後退させるので、カムユニット３０も同一距離だけ後退し、ガイドピン４０の先端４２が、ピン係止部３５から離れてガイド溝３３の復路に入る。したがって、第２回目のプッシュ操作を解除することにより、ばね体１６の付勢によってカムユニット３０が可動体２０と共に前進し、ガイドピン４０の先端４２がガイド溝３３の復路を通過して初期位置に戻る。この状態では、小型カードＣ１が可動体２０により押し出されてその後端がボディ１０の開口１２から長く突き出ているので、その第１カードＣ１を手で掴んで引き抜くことができる。
【００３５】
次に図６及び図７を参照して、大型カードＣ２を挿入及び排出する場合の動作を説明する。
【００３６】
カード未挿入モードでは、既述したようにカムユニット３０がばね体１６の付勢によって前進していて、ボディ１０の前端部１７に当たった初期位置に位置している（不図示）。
【００３７】
この状態から、第１回目のプッシュ操作で手の指で大型カードＣ１を開口１２を経てカード挿入空間Ｓに挿入すると、大型カードＣ２の先端が、可動体２０に突き当たった後、可動体２０を押し込んで後退させる。これにより、大型カードＣ２の電極に接触片２１が接触する。また、可動体２０が押し込まれるときには、可動体２０が大型カードＣ２と押し合いながらばね体１６の付勢に抗してカムユニット３０と共に後退する。そして、大型カードＣ２を押し込んでいる手の指がボディ１０の前端面に当たる程度にまで大型カードＣ２が押し込まれたときには、ガイドピン４０の先端４２が、第２カムパターン３２のガイド溝３４の往路を移動してピン係止部３６に臨み、その状態から手の指を離して押込力を解放すると、ばね体１６の付勢によってカムユニット３０と共に可動体２０が前進するので、大型カードＣ２が可動体２０により押し返され、併せて、ガイドピン４０の先端４２が図７のようにピン係止部３６に係合する。これにより、大型カードＣ２がセット位置でロック状況下におかれ、大型カードＣ２の後端は図７のようにボディ１０の開口１２から少しだけ突出した状態になる。大型カードＣ２の電極と接触片２１との信号授受は、大型カードＣ２がそのセット位置に位置している状態で行われる。
【００３８】
図７のように大型カードＣ２がセット位置に位置している状態から手の指で大型カードＣ２を押し込むという第２回目のプッシュ操作を行うと、大型カードＣ２が可動体２０を少し押し込んで後退させるので、カムユニット３０も同一距離だけ後退し、ガイドピン４０の先端４２が、ピン係止部３６から離れてガイド溝３４の復路に入る。したがって、第２回目のプッシュ操作を解除することにより、ばね体１６の付勢によってカムユニット３０が可動体２０と共に前進し、ガイドピン４０の先端４２がガイド溝３３の復路を通過して初期位置に戻る。この状態では、大型カードＣ２が可動体２０により押し出されてその後端がボディ１０の開口１２から長く突き出ているので、その第１カードＣ１を手で掴んで引き抜くことができる。
【００３９】
ところで、図２に示した小型カードＣ１はその長さＬ１及び幅Ｗ１が大型カードＣ２よりも短い種類のものである。そのような小型カードＣ１においては、厚さについても第２カードＣ２より薄くしておくことが望まれることもある。この場合、実施形態のデュアルカードコネクタでは、既述した片側及び他側の板ばねユニット５０，５０の作用によって、各カードＣ１，Ｃ２の厚さや幅の寸法差が吸収され、しかも、各カードＣ１，Ｃ２がカード挿入空間Ｓで厚さ方向及び横幅方向の適正位置に位置決めされ、接触片２１とカード側の電極との電気的接続安定性が高く保たれる。なお、図７において、Ｐ２は大型カードＣ２の中心線を示している。
【００４０】
上記実施形態では、可動体２０に固定したＦＰＣ２３の半田付け領域２４に、可動体２０に保持されている接触片２１の半田付け端子２２を半田付けしてあり、しかも、ＦＰＣ２３がボディ１０の後壁部１３に形成された開口（不図示）に前後方向移動自在に挿通されているので、可動体２０の前進後退がＦＰＣ２３の前後移動ないし撓み性によって無理なく円滑に行われる。
【００４１】
上記の実施形態では、異種のサイズに製作された２種のカードＣ１，Ｃ２を使用対象とするデュアル型カードコネクタを説明したけれども、本発明では、２種より多い異種サイズのカードを使用対象にすることも可能である。その場合、ボディのカード挿入空間は、長さ、厚さ及び幅の異なる複数枚のカードを同一方向に択一挿入可能に形成しておく必要がある。また、個々のカードに各別に対応して上記カード挿入空間内でカード挿入方向に並べて複数箇所のセット位置を定め、かつ、それらのセット位置は、長さの長いカードに対するセット位置を長さの短いカードに対するセット位置よりも後方に位置させる必要があり、そのためには、図６などで説明したカムユニット３０に準じて、カードの種類分だけのカムパターンを前後方向に並べて配備することが有益である。
【００４２】
図８は変形例による片側板ばねユニット５０及びそれと対称形状の他側板ばねユニット（不図示）を採用した他の実施形態に係るカードコネクタの要部を示した斜視図、図９は変形例による片側板ばねユニット５０の斜視図である。図８及び図９の板ばねユニット５０は、直角に屈曲された曲り部５１を備える連結片部５２を備えていて、この連結片部５２の水平部分に先上がりに傾斜した第１板ばね片５３が連設されていると共に、その立上り部分には、先端部５５がその立上り部分に連設された第２板ばね片５４が連設されている。第２板ばね片５４の基部には取付片部５７が連設されていて、この取付片部５７が、図８に示したようにボディ１０の後端部片側に設けられた取付片１８ａの溝部１９ａに差込み固定されている。他側板ばねユニット５０は、図８及び図９で説明した片側板ばねユニット５０に対し対称の形状を有していて、その構造自体は片側板ばねユニット５０と同様であり、また、片側板ばねユニット５０と同様の取付構造でボディ１０の後端部他側に設けられた取付片の溝部に差込み固定されている。この形状の板ばねユニット５０によっても、図１、図３、図７などで説明した板ばねユニット５０と同様の作用が発揮される。
【００４３】
上記各実施形態では、片側及び他側に分割された一対の板ばねユニット５０の第１板ばね片５３が、カードを厚さ方向に弾性で押圧する第１弾性体（厚さ方向位置決め手段）を形成し、第２板ばね片５４が、カードを横幅方向両側から弾性で押圧して挟み付ける第２弾性体（横幅方向位置決め手段）形成しているけれども、本発明に係るカードコネクタはこの構成に限定されるものではなく、板ばねユニットを１つの板ばね材によって形成したものもの本発明の範囲に含まれる。
【００４４】
【発明の効果】
本発明のカードコネクタによれば、異種サイズの複数種類のカードに共用できるものでありながら、カードをカード挿入空間内で厚さ方向及び横幅方向の適正位置に確実に位置決めするために必要となる部品構成が単純化されるため、部品点数を抑えてコスト高になることを可及的抑制し、併せて、小形化薄形化が阻害されにくくなるカードコネクタを提供することが可能になる。
【００４５】
また、異種サイズの多種類のカードをそれらに共通の１つの開口（スロット）から同一方向に挿入することができるので、当該カードコネクタが小形化されてその実装スペースが狭くて済むだけでなく、異種サイズのカードに対応した電気電子機器に多くのスロットを設ける必要がなくなるという利点がある。
【図面の簡単な説明】
【図１】本発明の実施形態に係るデュアル型カードコネクタの外観斜視図である。
【図２】カバーを取り外した使用状態でのデュアル型カードコネクタの平面図である。
【図３】（Ａ）は図２のＩＩＩＡ部の拡大図、（Ｂ）は（Ａ）のＩＩＩＢ−ＩＩＩＢ線に沿う部分に相応する断面図である。
【図４】板ばねユニットの斜視図である。
【図５】可動体や接触片などを示した概略断面図である。
【図６】カムユニットの平面図である。
【図７】カバーを取り外した他の使用状態でのデュアル型カードコネクタの平面図である。
【図８】変形例による片側板ばねユニットを採用した他の実施形態に係るカードコネクタの要部を示した斜視図である。
【図９】変形例による片側板ばねユニットの斜視図である。
【符号の説明】
１　カバー
１０　ボディ
２０　可動体
２１　接触片
５０　板ばねユニット
５１　曲り部
５２　連結片部
５３　第１板ばね片
５４　第２板ばね片
Ｃ，Ｃ１，Ｃ２　カード
Ｓ　カード挿入空間
Ｗ１，Ｗ２　カードの横幅
【図１】
2004063197.tif 000003
【図２】
2004063197.tif 000004
【図３】
2004063197.tif 000005
【図４】
2004063197.tif 000006
【図５】
2004063197.tif 000007
【図６】
2004063197.tif 000008
【図７】
2004063197.tif 000009
【図８】
2004063197.tif 000010
【図９】
2004063197.tif 000011